【手続補正書】
【提出日】平成22年11月11日(2010.11.11)
【手続補正１】
【補正対象書類名】特許請求の範囲
【補正対象項目名】全文
【補正方法】変更
【補正の内容】
【特許請求の範囲】
【請求項１】
第１の電極と第２の電極の間に、発光層を有し、
前記発光層は、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、正孔輸送性の有機化合物であり、
前記第３の有機化合物は、電子トラップ性を有し、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項２】
第１の電極と第２の電極の間に、発光層を有し、
前記発光層は、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、正孔輸送性の有機化合物であり、
前記第３の有機化合物の最低空軌道準位（ＬＵＭＯ準位）は、前記第２の有機化合物の最低空軌道準位（ＬＵＭＯ準位）よりも０．３ｅＶ以上深く、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項３】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、正孔輸送性の有機化合物であり、
前記第３の有機化合物は、電子トラップ性を有し、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項４】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、正孔輸送性の有機化合物であり、
前記第３の有機化合物の最低空軌道準位（ＬＵＭＯ準位）は、前記第２の有機化合物の最低空軌道準位（ＬＵＭＯ準位）よりも０．３ｅＶ以上深く、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項５】
請求項１乃至請求項４のいずれか一項において、
前記第２の有機化合物は、アリールアミン誘導体またはカルバゾール誘導体であることを特徴とする発光素子。
【請求項６】
第１の電極と第２の電極の間に、発光層を有し、
前記発光層は、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、バイポーラ性の有機化合物であり、
前記第３の有機化合物は、電子トラップ性を有し、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項７】
第１の電極と第２の電極の間に、発光層を有し、
前記発光層は、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、バイポーラ性の有機化合物であり、
前記第３の有機化合物の最低空軌道準位（ＬＵＭＯ準位）は、前記第２の有機化合物の最低空軌道準位（ＬＵＭＯ準位）よりも０．３ｅＶ以上深く、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項８】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、バイポーラ性の有機化合物であり、
前記第３の有機化合物は、電子トラップ性を有し、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項９】
第１の電極と第２の電極の間に、電子輸送層と正孔輸送層を有し、
前記電子輸送層と前記正孔輸送層との間に、第１の層と第２の層を有し、
前記第１の層は、第１の有機化合物と、第３の有機化合物とを有し、
前記第２の層は、第２の有機化合物と、前記第３の有機化合物とを有し、
前記第１の層は、前記第２の層に接して、前記第１の電極側に設けられており、
前記第１の有機化合物は、電子輸送性の有機化合物であり、
前記第２の有機化合物は、バイポーラ性の有機化合物であり、
前記第３の有機化合物の最低空軌道準位（ＬＵＭＯ準位）は、前記第２の有機化合物の最低空軌道準位（ＬＵＭＯ準位）よりも０．３ｅＶ以上深く、
前記第１の電極の方が前記第２の電極よりも電位が高くなるように、前記第１の電極と前記第２の電極とに電圧を印加することにより、前記第３の有機化合物からの発光が得られることを特徴とする発光素子。
【請求項１０】
請求項６乃至請求項９のいずれか一項において、
前記第２の有機化合物は、アリールアミン骨格およびキノキサリン骨格を有することを特徴とする発光素子。
【請求項１１】
請求項８乃至請求項１０のいずれか一項において、
前記第１の層の膜厚は、前記第２の層の膜厚と同じ、もしくは、前記第２の層の膜厚よりも薄いことを特徴とする発光素子。
【請求項１２】
請求項１乃至請求項１１のいずれか一項において、
前記第３の有機化合物は、電子吸引基を有することを特徴とする発光素子。
【請求項１３】
請求項１乃至請求項１２のいずれか一項において、
前記第３の有機化合物は、燐光を発光する物質であることを特徴とする発光素子。
【請求項１４】
請求項１乃至請求項１２のいずれか一項において、
前記第３の有機化合物は、ピラジン骨格またはキノキサリン骨格を有する第１の金属錯体であり、周期表第９族または第１０族の金属原子を有することを特徴とする発光素子。
【請求項１５】
請求項１４において、
前記金属原子は、イリジウム（Ｉｒ）または白金（Ｐｔ）であることを特徴とする発光素子。
【請求項１６】
請求項１乃至請求項１２のいずれか一項において、
前記第３の有機化合物は、一般式（１）で表される構造を有することを特徴とする発光素子。
【化１】
2008160090.tif 000001
（式中、Ａｒはアリール基を表し、Ｒ1〜Ｒ3は、それぞれ、水素、アルキル基、またはアリール基のいずれかを表し、Ｒ2とＲ3は、互いに結合して環を形成していてもよい。また、Ｍは、第９族元素、または第１０族元素のいずれかを表す。）
【請求項１７】
請求項１乃至請求項１２のいずれか一項において、
前記第３の有機化合物は、一般式（２）で表される構造を有することを特徴とする発光素子。
【化２】
2008160090.tif 000002
（式中、Ｒ1〜Ｒ3は、それぞれ、水素、アルキル基、またはフェニル基のいずれかを表し、Ｒ2とＲ3は、互いに結合して環を形成していてもよい。また、Ｒ4〜Ｒ7は、それぞれ、水素、ハロゲン基、アルキル基、またはハロアルキル基のいずれかを表す。また、Ｍは、第９族元素、または第１０族元素のいずれかを表す。）
【請求項１８】
請求項１乃至請求項１２のいずれか一項において、
前記第３の有機化合物は、一般式（３）で表される有機化合物であることを特徴とする発光素子。
【化３】
2008160090.tif 000003
（式中、Ａｒはアリール基を表し、Ｒ1〜Ｒ3は、それぞれ、水素、アルキル基、またはアリール基のいずれかを表し、Ｒ2とＲ3は、互いに結合して環を形成していてもよい。また、Ｍは中心金属であり、第９族元素、または第１０族元素のいずれかを表す。また、Ｌはモノアニオン性の配位子を表す。また、前記中心金属が第９族元素の時はｎ＝２であり、第１０族元素の時はｎ＝１である。）
【請求項１９】
請求項１乃至請求項１２のいずれか一項において、
前記第３の有機化合物は、一般式（４）で表される有機化合物であることを特徴とする発光素子。
【化４】
2008160090.tif 000004
（式中、Ｒ1〜Ｒ3は、それぞれ、水素、アルキル基、またはフェニル基のいずれかを表し、Ｒ2とＲ3は、互いに結合して環を形成していてもよい。また、Ｒ4〜Ｒ7は、それぞれ、水素、ハロゲン基、アルキル基、またはハロアルキル基のいずれかを表す。また、Ｍは中心金属であり、第９族元素、または第１０族元素のいずれかを表す。また、Ｌはモノアニオン性の配位子を表す。また、前記中心金属が第９族元素の時はｎ＝２であり、第１０族元素の時はｎ＝１である。）
【請求項２０】
請求項１８または請求項１９において、
前記モノアニオン性の配位子は、ベータジケトン構造を有するモノアニオン性の二座キレート配位子、またはカルボキシル基を有するモノアニオン性の二座キレート配位子、またはフェノール性水酸基を有するモノアニオン性の二座キレート配位子、または２つの配位元素がいずれも窒素であるモノアニオン性の二座キレート配位子のいずれかであることを特徴とする発光素子。
【請求項２１】
請求項１８または請求項１９において、
前記モノアニオン性の配位子は、下記の構造式（Ｌ１）〜（Ｌ８）で表されるモノアニオン性の配位子であることを特徴とする発光素子。
【化５】
2008160090.tif 000005
【請求項２２】
請求項１６乃至請求項２１のいずれか一項において、
前記Ｍは、イリジウム（Ｉｒ）または白金（Ｐｔ）であることを特徴とする発光素子。
【請求項２３】
請求項１乃至請求項２２のいずれか一項において、
前記第１の有機化合物のイオン化ポテンシャルは、６．０ｅＶ以下であることを特徴とする発光素子。
【請求項２４】
請求項１乃至請求項２３のいずれか一項において、
前記第１の有機化合物は、第２の金属錯体であることを特徴とする発光素子。
【請求項２５】
請求項１乃至請求項２４のいずれか一項において、
前記第１の層の膜厚は、５ｎｍ以上３０ｎｍ以下であることを特徴とする発光素子。
【請求項２６】
請求項１乃至請求項２４のいずれか一項において、
前記第２の層の膜厚は、５ｎｍ以上３０ｎｍ以下であることを特徴とする発光素子。
【請求項２７】
請求項１乃至請求項２６のいずれか一項に記載の発光素子と、前記発光素子の発光を制御する制御手段とを有する発光装置。
【請求項２８】
表示部を有し、
前記表示部は、請求項１乃至請求項２６のいずれか一項に記載の発光素子と前記発光素子の発光を制御する制御手段とを備えたことを特徴とする電子機器。